(57)【要約】【課題】住宅内の壁面の出隅部又は入隅部に兼用して、手すり用のブラケットの台座が極めて簡単に取り付けることができ、在庫も１種類で良いので経済的で、しかも、壁面のコ−ナ−部への取り付けの強度的にも取り付け精度的にも優れた手すり用のブラケット及び該ブラケットを用いた手すりの取り付け構造を提供する。【解決手段】壁面の出隅又は入隅に兼用して取り付けることのできるブラケットであって、該ブラケットは、壁面の出隅又は入隅に取り付けられる台座と該台座の上に取り付けられる支持体とからなり、前記台座は左右２個の左右対称な分割体からなり、該分割体は、壁面の出隅又は入隅と平行な傾斜面からなる傾斜底面とその対向面をなす平担部からなる上面を有し、該上面と略直交する方向の２側面が、大小大きさの異なる平行な面からなる合接面とした。【選択図】　　　　図１
2004108114.tif 000002
【特許請求の範囲】
【請求項１】
壁面の出隅又は入隅に兼用して取り付けることのできるブラケットであって、該ブラケットは、壁面の出隅又は入隅に取り付けられる台座と該台座の上に取り付けられる支持体とからなり、前記台座は左右２個の左右対称な分割体からなり、該分割体は、壁面の出隅又は入隅と平行な傾斜面からなる傾斜底面とその対向面をなす平担部からなる上面を有し、該上面と略直交する方向の２側面が、大小大きさの異なる平行な面からなる合接面とすることを特徴とする出隅入隅兼用ブラケット。
【請求項２】
前記左右２個の分割体の合接面どうしを挿通する連結用小孔を分割体の合接面に貫通させたことを特徴とする請求項１に記載の出隅入隅兼用ブラケット。
【請求項３】
前記請求項１又は２のいずれかに記載の出隅入隅兼用ブラケットの左右分割体の傾斜底面をブラケット取り付け箇所の出隅又は入隅の壁面の傾斜面に合わせ、且つ、それぞれの合接面どうしを左右対称に当接させ、連結用小孔を利用して接合し台座となし、ブラケット支持体基部の取り付け座の底部を前記台座上面の平担部に合わせ、取り付け座から台座を介して壁面の出隅又は入隅部に木ネジ、釘等を打ち込むことを特徴とする手すりの取り付け構造。
【発明の詳細な説明】
【０００１】
【発明の属する技術分野】
本発明は壁面の出隅部又は入隅部に兼用して取り付けることのできる手すり用のブラケット及び該ブラケットを用いた手すりの取り付け構造に関する。
【０００２】
【従来の技術】
従来、壁面の出隅部又は入隅部に手すりを取り付けるためには、出隅の場合、図４の（イ）に示すように、出隅コ−ナ−部Ｄに面取り部Ｒを設け、該面取り部Ｒにブラケット取り付け座を取り付けビス等で取り付けるか又は出隅コ−ナ−部Ｄに断面が略Ｌ字型の治具（図示せず）を介して取り付けるかいずれかであった。しかしこれらの方法のうち、前者においては、出隅コ−ナ−部Ｄに面取り部Ｒを特別に加工しなければならず、施工手間が余計にかかるという問題があり、また、後者においては、断面が略Ｌ字型の治具を別に用意しなければならないといった問題があった。一方、入隅の場合は図４の（ロ）に示すように、入隅部コ−ナ−部Ｉに断面が略三角形型の取り付け片Ｖを介して取り付けていたが、同様にして、別途特別な取り付け片Ｖを用意しなければならないといった問題点があった。
【０００３】
そこで、上記従来方法の問題点を解消するべく出隅部分において、背面に略Ｖ字状の切欠凹部を有する出隅用のスペ−サ−を特別に用意し、ブラケット基部の取り付け座を前記スペ−サ−に重ね、取り付けビスを打入して取り付けているものもある。（例えば、特許文献１参照）
【特許文献１】
特開２００１−３２４９０号公報（第２−３頁、第１図）
【０００４】
【発明が解決しようとする課題】
しかしながら、上記、特開２００１−３２４９０号公報に開示されている構成では、出隅コ−ナ−部には使用可能であるが入隅コ−ナ−部に使用できない。入隅コ−ナ−部に手すりを取り付ける時は入隅用取り付け部材を別途用意しなければならなかった。
【０００５】
本発明の目的は、住宅内の壁面の出隅部又は入隅部に兼用して、手すり用のブラケットの台座が極めて簡単に取り付けることができ、在庫も１種類で良いので経済的で、しかも、壁面のコ−ナ−部への取り付けの強度的にも取り付け精度的にも優れた手すり用のブラケット及び該ブラケットを用いた手すりの取り付け構造を提供することにある。
【０００６】
【課題を解決するための手段】
上記目的を達成するために本発明に係る請求項１に記載の発明は、壁面の出隅又は入隅に兼用して取り付けることのできるブラケットであって、該ブラケットは、壁面の出隅又は入隅に取り付けられる台座と該台座の上に取り付けられる支持体とからなり、前記台座は左右２個の左右対称な分割体からなり、該分割体は、壁面の出隅又は入隅と平行な傾斜面からなる傾斜底面とその対向面をなす平担部からなる上面を有し、該上面と略直交する方向の２側面が、大小大きさの異なる平行な面からなる合接面とすることを特徴とする。
【０００７】
係る構成から、前記台座が左右２個の左右対称な分割体からなっており、しかも、壁面の出隅又は入隅と平行な傾斜面からなる傾斜底面を有しているので、前記、大小大きさの異なる合接面のうち、小さい方の合接面どうしを当接させて台座となし、該台座の傾斜底面を出隅コ−ナ−部の壁面の傾斜面に沿うようにして設置すれば出隅用台座となる。逆に、前記、大小大きさの異なる合接面のうち、大きい方の合接面どうしを当接させて台座となし、該台座の傾斜底面を入隅コ−ナ−部の壁面の傾斜面に沿うようにして設置すれば入隅用台座となる。このように、出隅用又は入隅用のブラケットの台座が極めて簡単に形成できる。このようにして形成された台座の平担部からなる上面にブラケットの支持体を載置すれば出隅又は入隅兼用のブラケットが完成する。従って、出隅用、入隅用の両方のブラケットを特別に用意しなくても、１種類のブラケットで出隅用、入隅用両方に対応できるので、現場での突然の仕様変更にも柔軟に対応可能で施工性も大きく向上する。しかも在庫しておくのにも１種類でよく大変経済的である。
【０００８】
本発明の請求項２に記載の発明は、請求項１に記載の発明において、前記左右２個の分割体の合接面どうしを挿通する連結用小孔を分割体の合接面に貫通させたことを特徴とする。
【０００９】
係る構成から、前記左右２個の分割体の合接面の小さい方どうし又は大きい方どうしを当接させる際に、合接面どうしを挿通する前記連結用小孔を利用してボルト、ナット等を用いて連結させると、連結後の台座は強度的にも安定したものとなる。また、前記合接面どうしを当接させる際に合接面どうしが相互にずれることが防止できるので、連結精度の高いものが得られる。
【００１０】
本発明の請求項３に記載の発明は、前記請求項１又は２のいずれかに記載の出隅入隅兼用ブラケットを用いた手すりの取り付け構造において、左右分割体の傾斜底面をブラケット取り付け箇所の出隅又は入隅の壁面の傾斜面に合わせ、且つ、それぞれの合接面どうしを左右対称に当接させ、連結用小孔を利用して接合し台座となし、ブラケット支持体基部の取り付け座の底部を前記台座上面の平担部に合わせ、取り付け座から台座を介して壁面の出隅又は入隅部に木ネジ、釘等を打ち込むことを特徴とする。
【００１１】
係る構成から、前記台座が左右２個の左右対称な分割体からなっており、該分割体の前記接合面どうしを壁面の傾斜面に沿うようにして当接すれば、出隅又は入隅用のブラケット台座が極めて簡単に形成可能で、しかも出隅用、入隅用の両方のブラケットを特別に用意しなくても、１種類のブラケットで出隅用、入隅用両方に対応できるので、現場での突然の仕様変更にも柔軟に対応可能で施工性も大きく向上する。しかも在庫しておくのにも１種類でよく大変経済的である。さらに、前記左右２個の分割体の合接面の小さい方どうし又は大きい方どうしを当接させる際に、合接面どうしを挿通する前記連結用小孔を利用してボルト、ナット等を用いて連結させるので、連結後の台座は強度的にも安定したものとなる。また、前記合接面どうしを当接させる際に合接面どうしが相互にずれることが防止できるので、連結精度の高いものが得られる。
【００１２】
【発明の実施の形態】
以下、本発明の実施の形態の一例を説明する。図１は本発明に係る出隅入隅兼用ブラケットの実施の形態の一例を示す。▲１▼は支持体を示し、（イ）はその正面図、（ロ）はその平面図、（ハ）はその側面図を示す。また、▲２▼は出隅コ−ナ−部へ取り付ける場合の台座を示す。（イ）は正面図、（ロ）は平面図、（ハ）は側面図を示す。▲３▼は入隅コ−ナ−部へ取り付ける場合の台座を示す。（イ）は正面図、（ロ）は平面図、（ハ）は側面図を示す。図２は出隅コ−ナ−部へ取り付ける場合の取り付け例を示す。図３は入隅コ−ナ−部へ取り付ける場合の取り付け例を示す。
【００１３】
図１〜３において、１は支持体を示し、その上部先端は手すり本体１２を載置する手すり受け部１ａとなっており、下端は台座２に重ねるように載置される取り付け座１ｂとなっており、支柱１ｃによって相互に連結されている。
【００１４】
一方、台座２は出隅コ−ナ−部Ｄ又は入隅コ−ナ−部Ｉの壁下地材６に直接取り付けられる。該台座２は左右２個の左右対称な分割体２ａからなっており、該分割体２ａは出隅コ−ナ−部Ｄ又は入隅コ−ナ−部Ｉの壁下地材６の傾斜面と略平行な傾斜底面３を有している。また、前記傾斜底面３と対向面をなす上面４は平担部となっている。さらに、前記上面４と略直交する方向の２側面は、大小大きさの異なる平行な面からなる合接面大５ａ、合接面小５ｂとなっている。
【００１５】
また、前記合接面５ａ、５ｂには、２個の分割体をボルト、ナットで緊結するための連結用小孔ｐが貫通状態で設けられている。
【００１６】
また、前記、取り付け座１ｂ及び台座２の所定位置に支持体１と台座２を接合するための取り付け用小孔ｓが貫通状態で設けられており、支持体１と台座２の取り付け用小孔ｓの位置はそれぞれ対応関係にあり位置合わせされている。
【００１７】
出隅コ−ナ−部Ｄへ取り付ける場合は、図２に示すように、前記分割体２ａの合接面小５ｂどうしを当接させ、上面４どうしのずれがないか又傾斜底面３どうしにもずれがないか、又合接面に設けられた連結用小孔ｐどうしにもずれが生じていないことを確認後、前記連結用小孔ｐにボルトＢを挿通させ、ナットＮを用いてズレに注意しながらしっかりと２個の分割体２ａどうしを緊結する。
【００１８】
また、入隅コ−ナ−部Ｉに取り付ける場合は、図３に示すように、上記と逆で、２個の左右分割体２ａの合接面大５ａどうしを、ずれに注意しながらボルトとナットで緊結する。
【００１９】
次に、図２、図３に示すように、手すり本体１２を取り付ける予定の箇所の出隅コ−ナ−部Ｄ又は入隅コ−ナ−部Ｉに緊結完了させた前記台座２の傾斜底面３を壁下地材６の傾斜面に沿わせて台座２を設置し、台座２の上面４の平担部に支持体１の基部の取り付け座１ｂを重ね合わせ、それぞれに設けられた取り付け用小孔ｓどうしにずれが生じていないかどうか良く確認する。次に、前記、取り付け座１ｂに設けた取り付け用小孔ｓから取り付け用木ネジＭを壁下地材６及び柱７へ向けてねじ込む。このようにして、出隅又は入隅コ−ナ−部へのブラケットの取り付けが完了する。また、本発明の出隅入隅兼用ブラケットの材質は金属製、合成樹脂製など種々のものを用いることができる。十分な強度と耐久性があればよい。
【００２０】
【発明の効果】
以上のように、本発明の出隅入隅兼用ブラケットによれば、住宅内の壁面の出隅部又は入隅部に兼用して取り付けることができるブラケット用の台座が極めて簡単に形成でき、施工性が良好で、在庫も１種類で良いので経済的である。さらに、本発明の出隅入隅兼用ブラケットを用いて取り付けた出隅又は入隅コ−ナ−部の手すり構造は、取り付け強度と取り付け精度に優れたものとなる。
【図面の簡単な説明】
【図１】本発明の出隅入隅兼用ブラケットの実施形態の一例を示す。
▲１▼支持体を示す。
（イ）支持体の正面図。
（ロ）支持体の平面図。
（ハ）支持体の側面図。
▲２▼出隅コ−ナ−部へ取り付ける場合の台座を示す。
（イ）台座の正面図。
（ロ）台座の平面図。
（ハ）台座の側面図。
▲３▼入隅コ−ナ−部へ取り付ける場合の台座を示す。
（イ）台座の正面図。
（ロ）台座の平面図。
（ハ）台座の側面図。
【図２】出隅コ−ナ−部へ取り付ける場合の取り付け例を示す側面図。
【図３】入隅コ−ナ−部へ取り付ける場合の取り付け例を示す側面図。
【図４】ブラケット取り付けの従来例を示す斜視図。
（イ）出隅コ−ナ−部への取り付け例。
（ロ）入隅コ−ナ−部への取り付け例。
【符号の説明】
１　　　支持体
１ａ　　手すり受け部
１ｂ　　取り付け座
１ｃ　　支柱
２　　　台座
２ａ　　分割体
３　　　傾斜底面
４　　　上面
５　　　合接面
５ａ　　合接面大
５ｂ　　合接面小
６　　　壁下地材
７　　　柱
ｐ　　　連結用小孔
ｓ　　　取り付け用小孔
Ｂ　　　ボルト
Ｎ　　　ナット
Ｍ　　　取り付け用木ネジ
Ｄ　　　出隅コ−ナ−部
Ｉ　　　入隅コ−ナ−部
１１　　従来のブラケット
１２　　手すり本体
Ｒ　　　面取り
Ｖ　　　取り付け片
【図１】
2004108114.tif 000003
【図２】
2004108114.tif 000004
【図３】
2004108114.tif 000005
【図４】
2004108114.tif 000006